(57)【特許請求の範囲】
【請求項１】
自動原稿送り装置を装着してあり、この自動原稿送り装置自体を圧板として使用するかまたは自動原稿送り装置を使用しない圧板モードと、自動原稿送り装置を使用するＡＤＦモードを有し、
前記圧板モードにおける原稿走査の主走査方向の原稿基準位置を原稿台ガラス主走査方向端部基準とし、ＡＤＦモードにおける主走査方向の原稿基準位置を原稿台ガラス中央部基準とする複写装置において、
定型用紙サイズ以外に用紙の縦横の寸法を入力できる寸法設定手段を備え、
この寸法設定手段により縦横の寸法が入力された用紙が選択されたＡＤＦモード時は、原稿の中央と用紙の中央が一致するように複写動作し、それ以外のＡＤＦモード時は原稿画像を主走査方向の原稿の端と用紙の端が一致するように複写動作し、
前記寸法設定手段により縦横の寸法が入力された用紙が選択された場合、ＡＤＦモード時にＡＤＦで検知された原稿サイズに関わりなく前記寸法設定手段により入力された用紙寸法に応じた複写動作を行うことを特徴とする複写装置。
【発明の詳細な説明】
【０００１】
【発明の属する技術分野】
本発明は、複写装置に関し、特に都合のよい操作モードを選択でき、操作性が改善された複写装置に関する。
【０００２】
【従来の技術】
近年、多数枚の原稿の複写作業を効率的に行うために、自動原稿送り装置（ＡＤＦ）を装着した複写装置が広く普及してきている。このような複写装置では、ＡＤＦは複写装置本体の原稿台（コンタクトガラス）を開閉自在に覆う圧板を兼ねているのが一般的である。そして、このＡＤＦを圧板として使用する、またはＡＤＦを使用しない圧板モードと、ＡＤＦを使用して原稿を自動給紙するＡＤＦモードを有している。
ところで、複写装置に原稿をセットする場合、原稿基準を原稿台（コンタクトガラス）の主走査方向端部とする端面基準と、原稿台の中央に合わせる中央基準があり、この原稿のセット基準は複写装置に応じて固定化されている。通常、読み取り光学系の配置位置の都合から、ＡＤＦモード時も圧板モード時の原稿基準と同じ基準位置に原稿がセットされるようになっている。
【０００３】
【発明が解決しようとする課題】
しかし、端面基準の場合、圧板モードでは原稿の端面を原稿台の端部に付き当ててセットすることができるため原稿のセット性が良いが、ＡＤＦモードで原稿を自動搬送する際、原稿サイズにより原稿の搬送に要する搬送ローラの当接位置が変わる為、原稿サイズによりスキュー等の搬送不良が発生してしまう恐れがある。また、この搬送不良を防止するため、搬送ローラの個数を多くすることも行われているが、この場合コストがかかるという問題がある。
【０００４】
ＡＤＦを装着したディジタル複写装置において、圧板モード時は端面基準とし、ＡＤＦモード時は中央基準とするものが提案されている（例えば、特開平７−３３６５２２号公報）。しかしながら、ＡＤＦモード時に原稿を中央基準とした場合でも原稿の端面と用紙の端面を一致させるように複写動作を行うと、変倍コピー時や原稿と用紙のサイズが異なる場合でも圧板モードと同様の複写結果が得られる反面、ＡＤＦの検知可能最小原稿サイズより小サイズの原稿は最小サイズと検知し処理されるため原稿と同一サイズの用紙に複写するとき主走査方向の位置がずれて複写されるてしまう。また、定型サイズより副走査方向が長い原稿の給紙時や、給紙時の原稿スリップ等で原稿サイズが誤検知された場合、１つ大きめのサイズと検知されるため同様に主走査方向の位置がずれて複写されるという問題がある。さらに、原稿の中央を一致させるように複写動作を行うと、前記とは逆に主走査方向の位置ずれはないが圧板モード時と異なる複写結果となる。加えて、主走査方向の位置ずれはそのたび毎に編集モード等で修正可能であるが設定に時間がかかり、コピー作業の生産性が悪くなる。
【０００５】
また、不定形の原稿をＡＤＦで使用して同一サイズの不定形の用紙に複写しようとした場合、ＡＤＦが原稿サイズを誤認識するため中央基準に変更して画像位置を合わせなければならないと言う問題がある。更に画像領域も検知された原稿サイズと用紙サイズで決定されるため、使用者が意図したものとは異なってしまうという問題がある。
【０００６】
そこで、本発明の第１の目的は、ＡＤＦモード時原稿画像を主走査方向の原稿の端と用紙の端が一致するように複写動作するか、主走査方向の原稿の中央と用紙の中央が一致するように複写動作をするかを選択する手段を備えることにより、その使用用途に応じて複写動作を切り替え可能な作業性が優れた複写動作の複写機を提供することである。
本発明の第２の目的は、前記モードを保持することにより、複写動作毎に設定する操作を省き、複写機の操作性を向上させることである。
本発明の第３の目的は、ＡＤＦが検知した原稿サイズが最小サイズで、用紙サイズがそれより小さいサイズが選択されている場合に、そのときの動作モードに関係なく主走査方向の原稿の中央と用紙の中央が一致するように複写動作することによって設定する操作を省き、複写機の操作性を向上させることである。
【０００７】
本発明の第４の目的は、ＡＤＦモード時に縦横の寸法が入力された用紙が選択された場合、原稿画像を主走査方向の原稿の中央と用紙の中央が一致するように複写動作することによって不定形サイズの用紙への複写時に複写動作を切り替えることなく画像位置を合わせる事が可能なコピー作業性の良い複写機を提供することである。
本発明の第５の目的は、ＡＤＦモード時に縦横の寸法が入力された用紙が選択された場合、ＡＤＦで検知された原稿サイズに依存せずに用紙サイズに応じた画像領域を複写することにより画像欠けのないコピーを得ることが可能なコピー品質の良い複写機を提供することである。
本発明の第６の目的は、ＡＤＦモード時に縦横の寸法が入力された用紙が選択された場合、原稿の中央と用紙の中央が一致するように複写動作するか、原稿画像を主走査方向の原稿の端と用紙の端が一致するように複写動作するかを選択できるようにし、原稿の端と用紙の端が一致するように動作を行うことを選択したときに警告することにより作業者の混乱を防ぎ操作性が向上した複写機を提供することである。
【０００８】
【課題を解決するための手段】
請求項１記載の発明では、自動原稿送り装置を装着してあり、この自動原稿送り装置自体を圧板として使用するかまたは自動原稿送り装置を使用しない圧板モードと、自動原稿送り装置を使用するＡＤＦモードを有し、
前記圧板モードにおける原稿走査の主走査方向の原稿基準位置を原稿台ガラス主走査方向端部基準とし、ＡＤＦモードにおける主走査方向の原稿基準位置を原稿台ガラス中央部基準とする複写装置において、
定型用紙サイズ以外に用紙の縦横の寸法を入力できる寸法設定手段を備え、
この寸法設定手段により縦横の寸法が入力された用紙が選択されたＡＤＦモード時は、原稿の中央と用紙の中央が一致するように複写動作し、それ以外のＡＤＦモード時は原稿画像を主走査方向の原稿の端と用紙の端が一致するように複写動作し、
前記寸法設定手段により縦横の寸法が入力された用紙が選択された場合、ＡＤＦモード時にＡＤＦで検知された原稿サイズに関わりなく前記寸法設定手段により入力された用紙寸法に応じた複写動作を行うことにより、前記第５の目的を達成する。
【００１３】
【発明の実施の形態】
以下、本発明の画像形成装置の好適な実施の形態を図１ないし図１０を参照して詳細に説明する。
図１はＡＤＦ基準位置設定時の操作部のＬＣＤ（液晶表示画面）画面を示した図である。設定は原稿端基準の「ノーマル」１０または「小サイズ時中央基準」１２を押下するか、原稿中央基準の「ノーマル」１４を押下すると表示が点灯し、設定されて、不揮発メモリーに書き込まれ保持される。設定終了時は「戻る」１６を押下して抜ける。
【００１４】
この処理の手順を図２のフローチャートに示してある。
まず、ＡＤＦ基準位置設定を選択すると（ステップ１０；Ｙ）、ＡＤＦ基準位置値を設定する（ステップ１１）。このＡＤＦ基準位置値とは、不揮発性ＲＡＭ（ランダム・アクセス・メモリ）等の電源ＯＦＦ時も内容が保持されるメモリに書き込まれている値をいう。そしてＯ（原稿端基準：ノーマル）が選択された場合は、原稿端基準ノーマルを点灯し（ステップ１２）、他を消灯する（ステップ１３）。１（原稿端基準：最小サイズ未満は原稿中央基準）が選択された場合、原稿端基準小サイズを点灯し（ステップ１４）、その他を消灯する（ステップ１５）。２（原稿中央基準）が選択された場合、原稿中央基準ノーマルを点灯し（ステップ１６）、その他を消灯する（ステップ１７）。
【００１５】
そして、キーが押下されると（ステップ１８；Ｙ）、原稿基準位置設定値とキーモード情報が相違する場合（ステップ１９；Ｙ）、ブザーがＯＮし（ステップ２０）、キーモード情報がＯＦＦ即ち戻るでなくなったとき（ステップ２１：Ｙ）、原稿基準位置設定値がキーモード情報と一致したことになる（ステップ２２）。
【００１６】
原稿端基準または原稿中央基準の「ノーマル」が設定されているときは、ＡＤＦモード時はそのモードで動作するが、原稿端基準の「小サイズ時中央基準」が設定されている場合は、通常は原稿端基準で動作し、ＡＤＦが検知可能な最小サイズ（それ以下のサイズは全て同一サイズとして判断するサイズ、または不定と判断するサイズ）以下の用紙が選択された場合のみ、原稿中央基準で動作する。これは、原稿と用紙が同一サイズでも原稿端基準でコピーを行うと画像がずれて複写されるのを防ぐためである。
【００１７】
図３は圧板モードとＡＤＦモードの画像読み込み範囲アドレス算出の処理の手順を示したフローチャートである。ここで、原稿の主走査方向の長さをＸｏｒｇ、副走査方向の長さをＹｏｒｇ、用紙主走査方向の長さをＸｐａｐ、副走査方向の長さをＹｐａｐ、Ｍｘを主走査倍率、Ｍｙを副走査倍率としている。また、圧板モード基準位置を（主、副）＝（０，０）、ＡＤＦモードの中央位置を（主、副）＝（Ｃ，０）、とし、ＫＡＤＦは、ＡＤＦ原稿最小検知サイズ幅とする。
まず、圧板モードでないときは（ステップ３０；Ｎ）、ＡＤＦ基準位置設定値を０（原稿端基準：ノーマル）、１（原稿端基準：小サイズ時中央基準）、２（原稿中央基準：ノーマル）のいずれかとする（ステップ３１）。ここで０の場合は、主走査ｓｔａｒｔ  をＣ−Ｘｏｒｇ／２、副走査ｓｔａｒｔ  を０、主走査ｅｎｄ  をＣ−Ｘｏｒｇ／２＋Ｘｐａｐ／Ｍｘ、副走査ｅｎｄ  をＹｐａｐ／Ｍｙとする（ステップ３２）。
【００１８】
次に、ＡＤＦ基準位置設定値が１の場合は、ＸｐａｐとＫＡＤＦを比較し（ステップ３３）、Ｘｐａｐの方が大きいときは（ステップ３３；Ｎ）、ステップ３２に進み、ＫＡＤＦの方が大きいときは（ステップ３３；Ｙ）、ＡＤＦ基準位置設定値が２の場合と同様にステップ３４に進む。このステップ３４では、主走査ｓｔａｒｔ  をＣ−（Ｘｐａｐ／Ｍｘ）／２、副走査ｓｔａｒｔ  を０、主走査ｅｎｄ  をＣ＋（Ｘｐａｐ／Ｍｘ）／２、副走査ｅｎｄ  をＹｐａｐ／Ｍｙとする。
なお、圧板モードのときは（ステップ３０；Ｙ）、主走査ｓｔａｒｔ  をＯ、副走査ｓｔａｒｔ  をＯ、主走査ｅｎｄ  をＸｐａｐ／Ｍｘ、副走査ｅｎｄ  をＹｐａｐ／Ｍｙとする（ステップ３５）。
【００１９】
通常、アナログ複写機では主走査方向は全領域を露光して作像しているが、ディジタル複写機では必要な画像領域のみの読み込み及び作像（書き込み）が可能であるため、トナー等の節約を考慮し、画像領域のアドレスを算出して、その領域のみを作像している。
図４および図５に圧板モード時とＡＤＦモード時の原稿端基準と原稿中央基準の原稿と用紙の画像関係を示してある。通常の同一サイズで等倍のコピー時は同様の出力が得られるが、原稿と用紙のサイズが異なっていたり、等倍でないときは原稿中央基準の場合の画像範囲が異なる。図４に示すように、Ａ３原稿をＡ４用紙に複写した場合、原稿端基準としたとき、圧板モードと基本的操作は同一となり、原稿と用紙の主走査方向の幅が同一で等倍の通常コピー時は図示の３つは同一となる。
それとは逆に、図５に示すようにＡＤＦの最小原稿サイズ幅検知未満の原稿を等倍でコピーした場合や、変形サイズやＡＤＦサイズ誤検知が発生した場合、原稿端基準の画像がずれてしまう。
このようにどちらを基準にしても一長一短あるため、本実施の形態に示すように使用目的に応じて容易にモードが設定できれば、ユーザーにとって使いやすい装置となる。
【００２０】
次に、定型用紙サイズ以外に縦横の寸法を入力して複写できる実施の形態について説明する。
図６は、モードの設定、解除をユーザーに求める画面の一例を示した図であり、図７は、不定形サイズの寸法入力画面の一例を示した図である。
図６に示すように、不定形用紙時中央基準を設定する否かをユーザーが判断する。そして、図７の寸法入力画面で設定を押下すると、手差しの表示が特殊サイズに替わるようになっている。
図８は、特殊サイズが選択され、ＡＤＦモードで不定形用紙時に中央基準に「しない」旨の設定をした場合に表示される警告画面の一例を示してしる。ここで、「続行する」または再度「スタートキー」を押下すると端面基準のコピーを開始する。一方、不定形コピーを選択すると、中央基準で入力された用紙サイズの領域コピーを行う。コピーがスタートするとこの図８の画面は閉じる。
図９は、不定形サイズの原稿から同一サイズの用紙にコピーする例を示した図である。
原稿のサイズをＡＤＦで検知すると、端面基準の場合、図９に示すように主走査位置がずれ画像が欠けてしまう。一方、中央基準の場合、主走査方向の位置は、一致する。そして、実際の原稿よりも大きいサイズを検知したときは、画像はすべてコピーできるが、無駄な部分にも画像形成するためトナーの消費が多くなってしまう。また、実際の原稿より小さいサイズと検知したときは、画像が欠けてしまう可能性もある。
【００２１】
図１０は、この実施の形態の処理の手順を示したフローチャートである。
まず、スタートキーを押下すると（ステップ４０；Ｙ）、ＡＤＦモードを使用するか否かを選択し（ステップ４１）、ＡＤＦモードを使用しない場合は（ステップ４１；Ｎ）、端面基準でコピーを行う（ステップ４８）。
一方、ＡＤＦモードを使用する場合は（ステップ４１；Ｙ）、当該原稿が特殊サイズか否かを判断する（ステップ４２）。特殊サイズでない場合（ステップ４２；Ｎ）、端面基準でコピーを行う（ステップ４８）。
特殊サイズの場合は（ステップ４２；Ｙ）、不定形用紙時に中央基準にするか否かを判断する（ステップ４３）。中央基準にする場合（ステップ４３；Ｙ）、中央基準コピーを行う（ステップ４７）。中央基準にしない場合（ステップ４３；Ｎ）、図８に示す警告画面を表示する（ステップ４４）。
【００２２】
ユーザーが画面に表示された「続行する」を押下または「スタートキー」を再度押下したときは（ステップ４６；Ｙ）、端面基準でコピーを行う（ステップ４８）。一方、「続行する」でなく（ステップ４５；Ｎ）、「不定形コピー」が押下されときは（ステップ４６；Ｙ）、中央基準でコピーを行う（ステップ４７）。
【００２３】
【発明の効果】
請求項１記載の発明によれば、ＡＤＦモード時に縦横の寸法が寸法設定手段により入力された場合、ＡＤＦで検知された原稿サイズに依存せずに用紙サイズに応じた画像領域を複写することにより画像欠けのないコピーを得ることが可能となる。
【図面の簡単な説明】
【図１】ＡＤＦ基準位置設定時の操作部のＬＣＤ画面を示した図である。
【図２】本実施の形態の処理の手順を図２のフローチャートに示してある。
【図３】圧板モードとＡＤＦモードの画像読み込み範囲アドレス算出の処理の手順を示したフローチャートである。
【図４】圧板モード時とＡＤＦモード時の原稿端基準と原稿中央基準の原稿と用紙の画像関係を示した図である。
【図５】圧板モード時とＡＤＦモード時の原稿端基準と原稿中央基準の原稿と用紙の画像関係を示した図である。
【図６】モードの設定、解除をユーザーに求める画面の一例を示した図である。
【図７】不定形サイズの寸法入力画面の一例を示した図である。
【図８】特殊サイズが選択され、ＡＤＦモードで不定形用紙時に中央基準に「しない」旨の設定をした場合に表示される警告画面の一例を示した図である。
【図９】不定形サイズの原稿から同一サイズの用紙にコピーする例を示した図である。
【図１０】特殊サイズの原稿をコピーする場合の処理の手順を示したフローチャートである。
【符号の説明】
１０  原稿端基準ノーマル
１２  原稿端基準小サイズ時中央基準
１４  原稿中央基準ノーマル
１６  戻りキー
【図１】
0003560275.tif 000002
【図２】
0003560275.tif 000003
【図３】
0003560275.tif 000004
【図４】
0003560275.tif 000005
【図５】
0003560275.tif 000006
【図６】
0003560275.tif 000007
【図７】
0003560275.tif 000008
【図８】
0003560275.tif 000009
【図９】
0003560275.tif 000010
【図１０】
0003560275.tif 000011